(57)【要約】【課題】オークションを安全に行えるようにする。【解決手段】データベース８には、商品名、証明番号、所有者名が、それぞれ関連付けられて管理されている。これらの情報は、商品が購入された時点で、その販売店で入力され、データベース８に登録される。証明番号とは、所有者が確かにその商品を購入したことを証明するために割り振られた番号である。インターネット上のオークションに商品が出品される際、その商品を出品するためには、商品名、証明番号、所有者名を入力し、その入力された情報が、データベース８で管理されている情報と一致しなければ出品が許可されない。従って、商品を不当に取得したことにより、証明番号や所有者名が分からないといった商品は、オークションに出品されないことになる。本発明は、インターネット上のオークションの処理を行うコンピュータなどに適用できる。【選択図】　　　図４
2004054730.tif 000002
【特許請求の範囲】
【請求項１】
商品の販売に関わる第１の情報処理装置、前記商品を購入した購入者が用いる第２の情報処理装置、および、インターネット上でのサービスの１つとして提供されるオークションのサイトを管理する第３の情報処理装置から構成される情報処理システムにおいて、
前記第１の情報処理装置は、
前記商品を販売したとき、前記商品の購入が確かに行われたということを証明するための証明情報を発行する発行手段と、
前記発行手段により発行された前記証明情報、前記商品を購入した購入者の名前、および、前記商品に関する情報を少なくとも含む第１の情報を前記第３の情報処理装置に登録する登録手段と
を含み、
前記第２の情報処理装置は、
前記第３の情報処理装置に接続する接続手段と、
前記オークションのサイトに前記商品を出品する際、その出品する商品の前記証明情報、出品者の名前、および、前記商品に関する情報を少なくとも含む第２の情報を取得し、前記接続手段により接続された前記第３の情報処理装置
に送信する送信手段と
を含み、
前記第３の情報処理装置は、
前記登録手段により登録された前記第１の情報を管理する管理手段と、
前記送信手段により送信された前記第２の情報を受信した場合、その受信した前記第２の情報が、前記管理手段により管理されている前記第１の情報内に存在するか否かを判断する判断手段と、
前記判断手段により、前記管理手段により管理されている前記第１の情報内に前記送信手段により送信された前記第２の情報が存在すると判断された場合、前記商品の前記オークションへの出品を許可する許可手段と
を含む
ことを特徴とする情報処理システム。
【請求項２】
商品を販売したとき、前記商品の購入が確かに行われたということを証明するための証明情報を発行する発行手段と、
前記発行手段により発行された前記証明情報、前記商品を購入した購入者の名前、および、前記商品に関する情報をデータベースに登録する登録手段と
を含むことを特徴とする情報処理装置。
【請求項３】
商品を販売したとき、前記商品の購入が確かに行われたということを証明するための証明情報を発行する発行ステップと、
前記発行ステップの処理で発行された前記証明情報、前記商品を購入した購入者の名前、および、前記商品に関する情報をデータベースに登録する登録ステップと
を含むことを特徴とする情報処理方法。
【請求項４】
商品を販売したとき、前記商品の購入が確かに行われたということを証明するための証明情報を発行する発行ステップと、
前記発行ステップの処理で発行された前記証明情報、前記商品を購入した購入者の名前、および、前記商品に関する情報をデータベースに登録する登録ステップと
を含むことを特徴とするコンピュータが読み取り可能なプログラムが記録されている記録媒体。
【請求項５】
商品を販売したとき、前記商品の購入が確かに行われたということを証明するための証明情報を発行する発行ステップと、
前記発行ステップの処理で発行された前記証明情報、前記商品を購入した購入者の名前、および、前記商品に関する情報をデータベースに登録する登録ステップと
をコンピュータに実行させるプログラム。
【請求項６】
インターネット上でのサービスの１つとして提供されるオークションにかかる処理を実行する情報処理装置において、
前記商品の購入が確かに行われたということを証明するための証明情報、前記商品を購入した購入者の名前、および、前記商品に関する情報を少なくとも含む第１の情報を、それぞれ関連付けて管理する管理手段と、
他の装置から送信された前記オークションに出品される商品に関わる第２の情報として、前記出品される商品の証明情報、前記商品を購入した購入者の名前、および、前記商品に関する情報を受信する受信手段と、
前記受信手段により受信された前記第２の情報が、前記管理手段により管理されている前記第１の情報内に存在するか否かを判断する判断手段と、
前記判断手段により、前記管理手段により管理されている前記第１の情報内に前記受信手段により受信された前記第２の情報が存在すると判断された場合、前記商品の前記オークションへの出品を許可し、そのことを前記他の装置に通知する通知手段と
を含むことを特徴とする情報処理装置。
【請求項７】
前記オークションに出品されている前記商品から、購入が決定された商品に関する第３の情報として、その購入が決定された前記商品の前記証明情報と、前記商品の購入を決定した購入者の名前を取得する取得手段と、
前記取得手段により取得された前記第３の情報に含まれる前記証明情報と一致する情報を前記管理手段に管理されている前記第１の情報内から検索し、その検索された前記証明情報と関連付けられて管理されている購入者の名前を、前記取得手段により取得された前記第３の情報に含まれる前記購入者の名前に更新する更新手段と
をさらに含むことを特徴とする請求項６に記載の情報処理装置。
【請求項８】
インターネット上でのサービスの１つとして提供されるオークションにかかる処理を実行する情報処理装置の情報処理方法において、
前記商品の購入が確かに行われたということを証明するための証明情報、前記商品を購入した購入者の名前、および、前記商品に関する情報を少なくとも含む第１の情報を、それぞれ関連付けて管理する管理ステップと、
他の装置から送信された前記オークションに出品される商品に関わる第２の情報として、前記出品される商品の証明情報、前記商品を購入した購入者の名前、および、前記商品に関する情報の受信を制御する受信制御ステップと、
前記受信制御ステップの処理で受信が制御された前記第２の情報が、前記管理ステップの処理で管理された前記第１の情報内に存在するか否かを判断する判断ステップと、
前記判断ステップの処理により、前記管理ステップの処理で管理された前記第１の情報内に前記受信制御ステップの処理で受信が制御された前記第２の情報が存在すると判断された場合、前記商品の前記オークションへの出品を許可し、そのことを前記他の装置に通知する通知ステップと
を含むことを特徴とする情報処理方法。
【請求項９】
インターネット上でのサービスの１つとして提供されるオークションにかかる処理を実行する情報処理装置のプログラムであって、
前記商品の購入が確かに行われたということを証明するための証明情報、前記商品を購入した購入者の名前、および、前記商品に関する情報を少なくとも含む第１の情報を、それぞれ関連付けて管理する管理ステップと、
他の装置から送信された前記オークションに出品される商品に関わる第２の情報として、前記出品される商品の証明情報、前記商品を購入した購入者の名前、および、前記商品に関する情報の受信を制御する受信制御ステップと、
前記受信制御ステップの処理で受信が制御された前記第２の情報が、前記管理ステップの処理で管理された前記第１の情報内に存在するか否かを判断する判断ステップと、
前記判断ステップの処理により、前記管理ステップの処理で管理された前記第１の情報内に前記受信制御ステップの処理で受信が制御された前記第２の情報が存在すると判断された場合、前記商品の前記オークションへの出品を許可し、そのことを前記他の装置に通知する通知ステップと
を含むことを特徴とするコンピュータが読み取り可能なプログラムが記録されている記録媒体。
【請求項１０】
インターネット上でのサービスの１つとして提供されるオークションにかかる処理を実行する情報処理装置を制御するコンピュータに、
前記商品の購入が確かに行われたということを証明するための証明情報、前記商品を購入した購入者の名前、および、前記商品に関する情報を少なくとも含む第１の情報を、それぞれ関連付けて管理する管理ステップと、
他の装置から送信された前記オークションに出品される商品に関わる第２の情報として、前記出品される商品の証明情報、前記商品を購入した購入者の名前、および、前記商品に関する情報の受信を制御する受信制御ステップと、
前記受信制御ステップの処理で受信が制御された前記第２の情報が、前記管理ステップの処理で管理された前記第１の情報内に存在するか否かを判断する判断ステップと、
前記判断ステップの処理により、前記管理ステップの処理で管理された前記第１の情報内に前記受信制御ステップの処理で受信が制御された前記第２の情報が存在すると判断された場合、前記商品の前記オークションへの出品を許可し、そのことを前記他の装置に通知する通知ステップと
を実行させることを特徴とするプログラム。
【発明の詳細な説明】
【０００１】
【発明の属する技術分野】
本発明は情報処理システム、情報処理装置および方法、記録媒体、並びにプログラムに関し、特に、インターネットなどにおいて行われるオークションなどの処理を行う際に用いて好適な情報処理システム、情報処理装置および方法、記録媒体、並びにプログラムに関する。
【０００２】
【従来の技術】
近年、インターネットが普及し、様々なサービスが、そのインターネット上で提供されている。そのサービスの１つとしてオークションというのがある。インターネット上で行われるオークションは、例えば、Ａさんが商品Ａを出品し、その商品Ａに対してＢさんやＣさんが値を付け、最終的に高い値を付けた人が落札する（購入する権利を取得する）というものである。
【０００３】
このようなオークションは、インターネットを用いて自宅などで行えるため、商品を出品する方も、出品された商品を購入する方も、気軽に利用する傾向にあり、不要品の売買などで利用するユーザが増加している。
【０００４】
【発明が解決しようとする課題】
インターネット上におけるオークションは、上述したように気軽に利用される反面、犯罪が発生する危険性も含んでいた。例えば、出品されている商品が、盗難品であっても、そのことに気づかずに売買が行われてしまい、犯罪に巻き込まれてしまうといったケースがあった。
【０００５】
本発明はこのような状況に鑑みてなされたものであり、オークションで、盗難品など不当に取得された商品が売買されるようなことを防ぎ、安全に、安心してオークションができる仕組みを提供することを目的とする。
【０００６】
【課題を解決するための手段】
本発明を適用した情報処理システムは、商品の販売に関わる第１の情報処理装置、商品を購入した購入者が用いる第２の情報処理装置、および、インターネット上でのサービスの１つとして提供されるオークションのサイトを管理する第３の情報処理装置から構成され、第１の情報処理装置は、商品を販売したとき、商品の購入が確かに行われたということを証明するための証明情報を発行する発行手段と、発行手段により発行された証明情報、商品を購入した購入者の名前、および、商品に関する情報を少なくとも含む第１の情報を第３の情報処理装置に登録する登録手段とを含み、第２の情報処理装置は、第３の情報処理装置に接続する接続手段と、オークションのサイトに商品を出品する際、その出品する商品の証明情報、出品者の名前、および、商品に関する情報を少なくとも含む第２の情報を取得し、接続手段により接続された第３の情報処理装置に送信する送信手段とを含み、第３の情報処理装置は、登録手段により登録された第１の情報を管理する管理手段と、送信手段により送信された第２の情報を受信した場合、その受信した第２の情報が、管理手段により管理されている第１の情報内に存在するか否かを判断する判断手段と、判断手段により、管理手段により管理されている第１の情報内に送信手段により送信された第２の情報が存在すると判断された場合、商品のオークションへの出品を許可する許可手段とを含むことを特徴とする。
【０００７】
本発明の第１の情報処理装置は、商品を販売したとき、商品の購入が確かに行われたということを証明するための証明情報を発行する発行手段と、発行手段により発行された証明情報、商品を購入した購入者の名前、および、商品に関する情報をデータベースに登録する登録手段とを含むことを特徴とする。
【０００８】
本発明の第１の情報処理方法は、商品を販売したとき、商品の購入が確かに行われたということを証明するための証明情報を発行する発行ステップと、発行ステップの処理で発行された証明情報、商品を購入した購入者の名前、および、商品に関する情報をデータベースに登録する登録ステップとを含むことを特徴とする。
【０００９】
本発明の第１の記録媒体のプログラムは、商品を販売したとき、商品の購入が確かに行われたということを証明するための証明情報を発行する発行ステップと、発行ステップの処理で発行された証明情報、商品を購入した購入者の名前、および、商品に関する情報をデータベースに登録する登録ステップとを含むことを特徴とするコンピュータが読み取り可能なプログラムが記録されている。
【００１０】
本発明の第１のプログラムは、商品を販売したとき、商品の購入が確かに行われたということを証明するための証明情報を発行する発行ステップと、発行ステップの処理で発行された証明情報、商品を購入した購入者の名前、および、商品に関する情報をデータベースに登録する登録ステップとをコンピュータに実行させることを特徴とする。
【００１１】
本発明の第２の情報処理装置は、インターネット上でのサービスの１つとして提供されるオークションにかかる処理を実行する情報処理装置であって、商品の購入が確かに行われたということを証明するための証明情報、商品を購入した購入者の名前、および、商品に関する情報を少なくとも含む第１の情報を、それぞれ関連付けて管理する管理手段と、他の装置から送信されたオークションに出品される商品に関わる第２の情報として、出品される商品の証明情報、商品を購入した購入者の名前、および、商品に関する情報を受信する受信手段と、受信手段により受信された第２の情報が、管理手段により管理されている第１の情報内に存在するか否かを判断する判断手段と、判断手段により、管理手段により管理されている第１の情報内に受信手段により受信された第２の情報が存在すると判断された場合、商品のオークションへの出品を許可し、そのことを他の装置に通知する通知手段とを含むことを特徴とする。
【００１２】
オークションに出品されている商品から、購入が決定された商品に関する第３の情報として、その購入が決定された商品の証明情報と、商品の購入を決定した購入者の名前を取得する取得手段と、取得手段により取得された第３の情報に含まれる証明情報と一致する情報を管理手段に管理されている第１の情報内から検索し、その検索された証明情報と関連付けられて管理されている購入者の名前を、取得手段により取得された第３の情報に含まれる購入者の名前に更新する更新手段とをさらに含むようにすることができる。
【００１３】
本発明の第２の情報処理方法は、インターネット上でのサービスの１つとして提供されるオークションにかかる処理を実行する情報処理装置の情報処理方法であって、商品の購入が確かに行われたということを証明するための証明情報、商品を購入した購入者の名前、および、商品に関する情報を少なくとも含む第１の情報を、それぞれ関連付けて管理する管理ステップと、他の装置から送信されたオークションに出品される商品に関わる第２の情報として、出品される商品の証明情報、商品を購入した購入者の名前、および、商品に関する情報の受信を制御する受信制御ステップと、受信制御ステップの処理で受信が制御された第２の情報が、管理ステップの処理で管理された第１の情報内に存在するか否かを判断する判断ステップと、判断ステップの処理により、管理ステップの処理で管理された第１の情報内に受信制御ステップの処理で受信が制御された第２の情報が存在すると判断された場合、商品のオークションへの出品を許可し、そのことを他の装置に通知する通知ステップとを含むことを特徴とする。
【００１４】
本発明の第２の記録媒体のプログラムは、インターネット上でのサービスの１つとして提供されるオークションにかかる処理を実行する情報処理装置のプログラムであって、商品の購入が確かに行われたということを証明するための証明情報、商品を購入した購入者の名前、および、商品に関する情報を少なくとも含む第１の情報を、それぞれ関連付けて管理する管理ステップと、他の装置から送信されたオークションに出品される商品に関わる第２の情報として、出品される商品の証明情報、商品を購入した購入者の名前、および、商品に関する情報の受信を制御する受信制御ステップと、受信制御ステップの処理で受信が制御された第２の情報が、管理ステップの処理で管理された第１の情報内に存在するか否かを判断する判断ステップと、判断ステップの処理により、管理ステップの処理で管理された第１の情報内に受信制御ステップの処理で受信が制御された第２の情報が存在すると判断された場合、商品のオークションへの出品を許可し、そのことを他の装置に通知する通知ステップとを含むことを特徴とするコンピュータが読み取り可能なプログラムが記録されている。
【００１５】
本発明の第２のプログラムは、インターネット上でのサービスの１つとして提供されるオークションにかかる処理を実行する情報処理装置を制御するコンピュータに、商品の購入が確かに行われたということを証明するための証明情報、商品を購入した購入者の名前、および、商品に関する情報を少なくとも含む第１の情報を、それぞれ関連付けて管理する管理ステップと、他の装置から送信されたオークションに出品される商品に関わる第２の情報として、出品される商品の証明情報、商品を購入した購入者の名前、および、商品に関する情報の受信を制御する受信制御ステップと、受信制御ステップの処理で受信が制御された第２の情報が、管理ステップの処理で管理された第１の情報内に存在するか否かを判断する判断ステップと、判断ステップの処理により、管理ステップの処理で管理された第１の情報内に受信制御ステップの処理で受信が制御された第２の情報が存在すると判断された場合、商品のオークションへの出品を許可し、そのことを他の装置に通知する通知ステップとを実行させることを特徴とする。
【００１６】
本発明を適用した情報処理システムにおいては、第１の情報処理装置は、商品を販売したとき、商品の購入が確かに行われたということを証明するための証明情報を発行し、その証明情報、商品を購入した購入者の名前、および、商品に関する情報を少なくとも含む第１の情報を第３の情報処理装置に登録し、第２の情報処理装置は、オークションのサイトに商品を出品する際、その出品する商品の証明情報、出品者の名前、および、商品に関する情報を少なくとも含む第２の情報を第３の情報処理装置に送信し、第３の情報処理装置は、第１の情報を管理し、受信した第２の情報が、管理されている第１の情報内に存在するか否かを判断すし、第１の情報内に第２の情報が存在すると判断された場合のみ、商品のオークションへの出品を許可する。
【００１７】
本発明の第１の情報処理装置および方法、並びにプログラムにおいては、商品の購入が確かに行われたということを証明するための証明情報が発行され、その証明情報、商品を購入した購入者の名前、および、商品に関する情報がデータベースに登録される。
【００１８】
本発明の第２の情報処理装置および方法、並びにプログラムにおいては、商品の購入が確かに行われたということを証明するための証明情報、商品を購入した購入者の名前、および、商品に関する情報を少なくとも含む第１の情報が、それぞれ関連付けられて管理され、他の装置から送信されたオークションに出品される商品に関わる第２の情報として、出品される商品の証明情報、商品を購入した購入者の名前、および、商品に関する情報を受信し、その第２の情報が、管理されている第１の情報内に存在する場合のみ、商品のオークションへの出品が許可される。
【００１９】
【発明の実施の形態】
以下に、本発明の実施の形態について図面を参照して説明する。図１は、本発明を適用した情報処理システムの一実施の形態の構成を示す図である。図１に示した情報処理システムにおいては、販売店において行われる商品の売買や、インターネット上などで行われるオークションによる商品の売買に、それぞれ関する装置から構成されている。
【００２０】
商品を販売している販売店１には、ＰＣ（パーソナルコンピュータ）２が備えられている。このＰＣ２は、ネットワーク３を介して他の装置とデータの授受が行えるように構成されている。ネットワーク３は、インターネットなどの広域ネットワークやＬＡＮ（Ｌｏｃａｌ　Ａｒｅａ　Ｎｅｔｗｏｒｋ）などから構成されている。
【００２１】
ユーザ４は、販売店１から商品を購入する。また、ユーザ４は、その商品をインターネット上で行われるオークションに出品する。ユーザ４は、ＰＣ５を所有しており、そのＰＣ５を用いて、ネットワーク３に接続し、インターネット上で行われているオークションに参加する。
【００２２】
ユーザ４がオークションに参加する際、ＰＣ５は、ネットワーク３を介してオークション運営サイト６が管理するＰＣ７と接続される。ＰＣ７は、オークションにかかわる処理を実行するうえで、データベース８に記憶されているデータを必要に応じ参照する。
【００２３】
図２は、ＰＣ２の内部構成例を示す図である。ＰＣ２のＣＰＵ（Ｃｅｎｔｒａｌ　Ｐｒｏｃｅｓｓｉｎｇ　Ｕｎｉｔ）１１は、ＲＯＭ（Ｒｅａｄ　Ｏｎｌｙ　Ｍｅｍｏｒｙ）１２に記憶されているプログラムに従って各種の処理を実行する。ＲＡＭ（Ｒａｎｄｏｍ　Ａｃｃｅｓｓ　Ｍｅｍｏｒｙ）１３には、ＣＰＵ１１が各種の処理を実行する上において必要なデータやプログラムなどが適宜記憶される。入出力インタフェース１５は、キーボードやマウスから構成される入力部１６が接続され、入力部１６に入力された信号をＣＰＵ１１に出力する。また、入出力インタフェース１５には、ディスプレイやスピーカなどから構成される出力部１７も接続されている。
【００２４】
さらに、入出力インタフェース１５には、ハードディスクなどから構成される記憶部１８、および、インターネットなどのネットワーク３を介して他の装置（例えば、ＰＣ５）とデータの授受を行う通信部１９も接続されている。ドライブ２０は、磁気ディスク３１、光ディスク３２、光磁気ディスク３３、半導体メモリ３４などの記録媒体からデータを読み出したり、データを書き込んだりするときに用いられる。
【００２５】
ＰＣ５とＰＣ７も、基本的にＰＣ２と同一の構成であるため、ここでは、その説明を省略する。
【００２６】
図３のフローチャートを参照して、図１に示した情報処理システムの動作について説明する。まず、ユーザ４が販売店１から商品を購入する際における情報処理システムの動作について説明する。ユーザ４は、ステップＳ１１において販売店１から商品を購入する。ここでは、ユーザ４は、販売店１の店舗に実際に行き、その場で商品を購入したとする。
【００２７】
販売店１側では、ステップＳ２１において、ユーザ４に対して商品の引き渡しが行われる。商品の引き渡しが行われる一方で、ステップＳ２２において、証明番号の発行が行われる。ここで、証明番号とは、後述するオークションに出品する際に必要となる番号であり、その商品をユーザ４が確かに販売店１で購入したことを示す番号である。また、ここでは、証明番号と記述するが、その証明番号は、番号に限らず、情報でも良い。
【００２８】
発行された証明番号は、ユーザに渡される。証明番号は、販売店１側のＰＣ２により発行される。ＰＣ２は、証明番号を発行する際、データベース８と通信を行い、データベース８に登録されていない番号を検索し、その検索の結果、まだ登録されていないとされた番号を証明番号としても良い。このようにすることにより、複数の証明番号がデータベース８内に登録されてしまうようなことを防ぐことが可能となる。
【００２９】
または、後述するように、この証明番号は、個人情報と合わせて用いらるため、データベース８側において、証明番号と個人情報が全く一致する情報が２以上記憶される可能性は低い。すなわち、証明番号だけでは、一意に情報が限定できないような場合でも、個人情報と合わせることにより、一意に情報が限定できるようになる。
【００３０】
そこで、ＰＣ２側で、データベース８を参照することなく、独自に証明番号を発行するようにしても良い。このようにした場合、例えば証明番号を所定の桁数から構成されるとし、その桁数のうちの所定の桁数は、販売店１を表す番号としても良い。
【００３１】
ＰＣ２側で発行された証明番号は、ユーザ４に紙媒体で渡されるようにしても良いし、何らかの記録媒体に記録されたデジタルデータとして渡されるようにしても良い。例えば、紙媒体で渡される場合、メーカ側が発行し、商品に添付している保証書や説明書などの所定の欄に印刷されて渡されるようにしても良い。
【００３２】
または、ステップＳ２３において、ユーザの情報が入力されるわけだが、そのユーザ情報として電子メールアドレスも入力されるようにした場合、その入力された電子メールアドレスに対して証明番号が送信されることにより、ユーザ４側に証明番号が渡されるようにしても良い。
【００３３】
どのような方法が用いられても良いが、商品を購入したユーザ４に対して、販売店１から、確かに商品を販売店１で購入したという証明となる証明番号が渡される。
【００３４】
ステップＳ２３において、ユーザ４の情報がＰＣ２に入力される。この際、ＰＣ２に入力されるのは、名前などの個人情報である。ここでは、個人情報としては、名前、電話番号、電子メールアドレス、生年月日、住所などが考えられ、どのような情報が用いられても良いが、ここでは、少なくとも個人情報として名前は用いられるとして以下の説明を続ける。
【００３５】
ステップＳ２３におけるユーザの個人情報の入力は、ユーザ４自身が、ＰＣ２を用いて行うようにしても良いし、店員が、ユーザ４の代わりに入力の処理を実行するようにしても良い。ＰＣ２に入力されたユーザ情報は、ステップＳ２４において、データベース８に対して送信される。このようなユーザ情報の送信が行われる際、その送信される情報は、暗号化などの処理が施されて送信される。
【００３６】
ステップＳ２４において送信されるユーザ情報は、ステップＳ２３において入力された個人情報としてのユーザ４の名前の他に、ステップＳ２２で発行された証明番号と製品に関する情報が合わせて送信される。製品に関する情報とは、例えば、テレビジョン受像機などの商品名であったり、製造番号などである。
【００３７】
このようにして販売店１側のＰＣ２から送信されたユーザ情報は、ステップＳ３１において、データベース８に記憶される。データベース８は、図１に示したように、ネットワーク３に接続されており、ＰＣ２からネットワーク３を介してデータの授受が行えるように接続されている。このように、データベース８を販売店１とは別に設けても良いが、販売店１側で管理するように、販売店１内に設けるようにしても良い。
【００３８】
データベース８を販売店１とは別に設ける場合、データベース８は、共用されるデータベース８として設置することができる。共用されるデータベース８とは、例えば、販売店１側の系列店で共有する、メーカ毎にデータベース８が設けられており、メーカ側と販売店１側で共用する、異なる販売店同士で共有するといったような意味である。
【００３９】
データベース８は、本実施の形態においては、後述するオークションの処理が実行される際に利用されるため、オークション運営サイト６が管理するようにしても良い。オークション運営サイト６が管理する場合、データベース８は、オークション運営サイト６のＰＣ７に含まれる、または、管理される構造とされる。
【００４０】
データベース８には、ＰＣ２からのユーザ情報が、例えば、図４に示すようにデータベース化されて記憶されている。図４に示したデータベース８においては、商品名、証明番号、および所有者名が、それぞれ関連付けられて記憶されている。例えば、図４に示すように、商品名“カメラＡ”、証明番号“１２３４５６７８９０”、および、所有者名“ユーザＡ”は、それぞれ関連付けられて記憶されている。
【００４１】
例えば、同一の所有者“ユーザＡ”であっても、異なる商品“カメラＡ”と“テレビジョン受像機”とでは、異なる証明番号“１２３４５６７８９０”と“１２３４５６７８９１”が、それぞれ割り当てられる。また、例えば、同一の商品“カメラＡ”であっても、異なる所有者“ユーザＡ”と“ユーザＢ”とでは、異なる証明番号“１２３４５６７８９０”と“１２３４５６７８９２”が、それぞれ割り当てられる。
【００４２】
このように、証明番号は、商品名毎に割り当てられるわけではなく（同一の商品名には同一の証明番号が割り当てられるわけではなく）、また、ユーザ毎に割り当てられるわけでもない（同一の所有者には同一の証明番号が割り当てられるわけではない）。すなわち、証明番号は、独自に発行されるものであり、商品名やユーザ名に依存するものではない。勿論、証明番号の一部が、商品名を表したり、所有者を識別するために用いられる番号とされても良い。
【００４３】
従って、商品名、証明番号、および所有者名の組は、一意的なものであり、同一の組み合わせはデータベース８内に存在しないようになされている。
【００４４】
このようなデータベース８が用いられて行われるインターネット上におけるオークションについて説明する。図５のフローチャートを参照して、オークションに関わる、図１に示した情報処理システムの動作について説明する。ステップＳ５１において、ユーザ４は、オークション運営サイト６にアクセスする。ユーザ４は、ＰＣ５を、ネットワーク３に接続させ、そのネットワーク３に接続されているオークション運営サイト６が管理するＰＣ７と接続させることにより、オークション運営サイト６にアクセスできる。
【００４５】
ＰＣ５がＰＣ７と接続されると、例えば、図６に示すような画面がユーザ４のＰＣ５のディスプレイ５１上に表示される。図６に示したようなページ（画面）に関するデータは、ＰＣ７からＰＣ５に対して供給される。図６に示した表示例では、商品の出品を希望するのか、商品の購入を希望するのかを選択するためのボタン５１−１，５１−２が設けられている。
【００４６】
図６に示したようなページが、ユーザ４のＰＣ５のディスプレイ５１上に表示されている状態で、ユーザが、“商品の出品”ボタン５２−１を操作すると、その情報は、オークション運営サイト６のＰＣ７に送信される。その送信された情報を受信したＰＣ７は、ステップＳ６１において、出品申込みのための画面のデータをＰＣ５に対して送信する。
【００４７】
送信された出品申込みのための画面のデータを受信することにより、ユーザ４のＰＣ５のディスプレイ５１上には、例えば、図７に示したような画面が表示される。図７に示したように、ディスプレイ５１上には、商品名を入力するための商品名入力欄６１、証明番号を入力するための証明番号入力欄６２、および、所有者名を入力するための所有者名入力欄６３が設けられた画面が表示される。
【００４８】
商品名入力欄６１は、プルダウンメニューにより商品名が選択できるようになっていても良いし、ユーザにより直接入力されるようになっていても良い。図７に示した画面に設けられている入力欄は、図４に示したデータベース８に記憶されている情報の項目と同一の項目の情報を、それぞれユーザが入力するために設けられている欄である。
【００４９】
ユーザ４は、ディスプレイ５１上に表示されている入力欄に、それぞれ情報を入力する。ユーザ４には、上述したように、証明番号が何らかの方法で提供されている。例えば、図８に示すように、少なくとも商品名と証明番号が関連付けられたものが（紙媒体でも良いし、デジタルデータ形式のものでも良い）、ユーザ４に、商品を購入した時点で提供されている。ユーザ４は、例えば、紙媒体に書かれている商品名と証明番号を、図７に示したそれぞれの入力欄に入力する。
【００５０】
図７に示した画面の、商品名入力欄６１、証明番号入力欄６２、および、所有者名入力欄６３に、それぞれ情報が入力され、送信ボタン６４が操作されると、それらの入力された情報は、オークション運営サイト６のＰＣ７に対して送信される。なお、中止ボタン６５は、出品の処理を中止したいときに操作されるボタンである。
【００５１】
ＰＣ７は、ステップＳ６２において、ＰＣ５からの情報を受信し、その情報を記憶するとともに、そのうちの所定の情報のみをデータベース８に対して送信する。ＰＣ７からデータベース８に対して送信される所定の情報は、例えば、受信された情報のうちの証明番号にかかわる情報である。証明番号は、ネットワーク３を介してデータベース８に対して送信される際に盗用されてしまったとしても、その証明番号自体だけでは、何の意味もなさないため、たとえ盗用されてしまったとしてもあまり問題ではないと考えられる。
【００５２】
よって、証明番号に関する情報が、ネットワーク３介して送信される際、暗号化などの処理を施さないようにしても良い。勿論、暗号化して送信するようにしても良いし、また、そのように盗用されないための何らかの手段を講じることは、オークション運営サイト６の信頼を向上させるためには大切なことであり、本来は、そのようにすることが好ましい。
【００５３】
データベース８は、ＰＣ７からの情報、この場合、証明番号の情報を受信すると、その証明番号に関連付けられている情報を読み出し、ＰＣ７に対して送信する。読み出される情報は、この場合、商品名と所有者名である。
【００５４】
ＰＣ７から送信される情報が、商品名と証明番号であった場合、データベース８からは所有者名がだけが読み出され、送信される。または、ＰＣ７から送信される情報が、所有者名と証明番号であった場合、データベース８からは商品名だけが読み出され、送信される。
【００５５】
ＰＣ７から送信される情報が、商品名だけである場合、データベース８内には、複数の同一の商品名が記憶されている可能性が高く、そのために、商品名に関連付けられてる複数の証明番号と所有者名の組が読み出され、送信されることになるため、ＰＣ７から商品名だけが送信されるのは、実施の形態としては好ましくない。同一の理由により、ＰＣ７から所有者名だけが送信される場合も、実施の形態としては好ましくない。
【００５６】
ここでは、上述したように、データベース８には、商品名、証明番号、および所有者名と、３つの情報がそれぞれ関連付けられて記憶されているので、このうちの１つ（または２つ）の情報がＰＣ７から送信され、残りの２つの情報（または１つの情報）が、データベース８から読み出されて送信されるとして説明する。
【００５７】
証明番号は、基本的に、同一の番号がデータベース８に記憶されないようになっている。仮に、番号が足りなくなり、同一の番号が記憶されるとしても、同一の商品名や同一の所有者名が記憶される確率よりかは低い確率である。そこで、ＰＣ７からは、証明番号を送信するようにすれば、データベース８から読み出される情報の組は、１つである可能性が高く、複数であっても、２または３といった少ない数である可能性が高い。
【００５８】
そこで、ＰＣ７からは証明番号を送信するようにし、データベース８では、その証明番号に関連付けられている商品名と所有者名の情報の組を送信するようにする。ステップＳ７１において、データベース８から商品名と所有者名の情報の組が送信され、その情報は、ＰＣ７に受信される。ＰＣ７は、その受信した情報を用いて、ステップＳ６３において、オークションに商品の出品を希望してきたユーザ４に対して、出品を許可するか否かの判断を行う。
【００５９】
ステップＳ６３における判断は、ＰＣ５から受信した情報と、データベース８から受信した情報を比較することにより行われる。すなわち、ＰＣ７には、ＰＣ５から、商品名、証明番号、および所有者名が関連付けられた情報が提供され、データベース８から、当該証明番号に関連付けられている商品名と所有者名の情報が提供されるわけだが、ＰＣ５から提供された商品名と所有者名の情報は、データベース８から提供された商品名と所有者名の情報と一致しているはずである。
【００６０】
一致している場合、ユーザ４は、正当な購入者であり、オークションに商品を出品する許可を与えて良いと判断される。
【００６１】
しかしながら、ＰＣ５からの情報とデータベース８からの情報が一致していないような場合、ユーザ４が図７に示した画面において情報を入力した際、間違った情報を入力してしまったか、または、それらの情報を持たない者が、勝手な情報を入力したかの、いずれかの場合であると考えられる。このような場合には、ユーザ４は、正当な購入者ではない可能性があり、オークションに商品を出品する許可を与えるべきではないと判断される。
【００６２】
なお、データベース８から複数の情報が提供された場合、それらの情報内のうちの１つが、ＰＣ５から提供された情報と一致するか否かが判断される。１つでも一致するのがあれば、正当な購入者であると判断することができる。
【００６３】
このような判断のもと出された判断結果は、ステップＳ６４において、ＰＣ７からＰＣ５に対して送信される。その結果、ユーザ４のＰＣ５のディスプレイ５１上には、ステップＳ５３において、図９または図１０に示したような画面が表示される。
【００６４】
図９に示した画面は、正当な購入者と判断され、出品が許可されたユーザ４のディスプレイ５１上に表示される画面であり、“商品の出品を受け付けました。”といったメッセージが表示されている。図１０に示した画面は、正当な購入者とは判断されなかったために、出品が許可されず、再度、商品名、証明番号、所有者名の情報の入力を要求された画面であり、“再度入力してください。”といったメッセージの下に、図７に示した画面と同様の画面が表示されている。
【００６５】
ユーザ４が、図１０に示したような画面が表示されたとき、その画面の所定の欄に、情報を再度入力し、送信ボタン６４が操作すると、上述したような処理が再度行われるが、中止ボタン６５が操作されると、処理は終了される。
【００６６】
このように、商品をオークションに出品しようとするものは、商品名、証明番号、および所有者名を入力し、それらの情報が正しくないと出品することができないようになっている。従って、例えば、販売店１から盗まれた商品が出品されようとしたような場合、まず、証明番号が発行されていないため、上述したような処理に従ってオークションへの出品の処理が行われる課程で、証明番号を入力することができず、出品が拒否されることになる。
【００６７】
仮に、図７に示したような画面において、商品を不当に所有した人が、商品名、証明番号、および所有者名を適当に入力したとしても、それらの情報が全て一致するような情報が、データベース８に記憶されている可能性は、きわめて低く、そのため、上述したような処理に従って、オークションへの出品の処理が行われる課程で、出品が拒否されることになる。
【００６８】
仮に、ユーザ４が商品を購入した直後に、その商品が盗まれてしまったとしても、その商品を盗んだ人が、オークションに出品しようとした場合、上述したように、その商品を盗んだ人が、商品名、証明番号、および所有者名を正しく入力する必要がある。商品名や証明番号は、例えば、盗んだ商品に同封されている可能性があり、そのために、正しく入力される可能性はあるが、所有者名まで正しく入力することは不可能に近いことである。
【００６９】
所有者名は、販売店１で商品を購入した時点で行われているため、その後、その商品を不当に取得した人が、所有者名まで正しく入力する確率は、非常に低いと考えられる。
【００７０】
従って、このような場合にも、上述したような処理に従って、オークションへの出品の処理が行われる課程で、出品が拒否されることになる。また、このような場合には、商品を購入したユーザ４が、何らかの手だてを講ずることにより、例えば、販売店１に通知し、データベース８から情報を削除してもらうなどの処理を実行することにより、さらに、盗難品がオークションに出品されてしまうようなことを防ぐことが可能となる。
【００７１】
上述した実施の形態においては、個人情報として名前（所有者名）がデータベース８に登録され、その登録された情報に基づき処理が実行されるとして説明したが、さらに、生年月日などの情報も登録されるようにし、その情報も用いられて処理が実行されるようにしても良い。このようにすれば、生年月日などを知らない、不当に商品を取得した者が、適当に入力した情報とデータベース８に記憶されている情報が一致してしまうような可能性がさらに低くなり、盗難品がオークションに出品されてしまうようなことをより防ぐことが可能となる。
【００７２】
上述した実施の形態においては、ユーザ４が販売店１に行き、その場で商品を購入するとして説明したが、例えば、ネットワーク３を介して販売店１が運営しているサイトを利用して、いわゆるオンラインショッピングなどで購入しても良い。オンラインショッピングの場合、ユーザ４側の処理としてステップＳ１１、販売店１側の処理としてステップＳ２１乃至Ｓ２３の処理は、販売店１で商品が購入された時点で行われるとした処理が、オンライン上で行われる。
【００７３】
オンラインショッピングで商品が購入される場合、その契約がオンライン上で終結した際に、証明番号が、ネットワーク３を介してユーザ４側に渡される。このようにしてオンラインショッピングで購入された商品は、後日、ユーザ４に対して配送される。その後、ユーザ４によりデータベース８への登録の処理が実行される。
【００７４】
商品が配送される際、その商品とともに、証明番号も配送されるようにしても良いが、このようにした場合、商品名、証明番号、および、所有者名（まだ、未登録のため商品を取得した者が自由に登録できる）の全てが、ユーザ４に商品が届く前に、不当にその商品を取得した者がいた場合、その者に対して提供されてしまうことになる。
【００７５】
従って、証明番号は、上述したように、オンラインショッピングで契約が完了した時点で、ユーザ４に提供され、商品（商品名）は、後日配送されるようにし、証明番号と商品が、同時に配送されるようなことが無いようにした方が好ましい。
【００７６】
または、オンラインショッピングで契約が成立した時点で、販売店１側が、ユーザ情報を入力し、データベース８に登録するようにしても良い。オンラインショッピングで契約が成立するような場合、その購入された商品が配送されるために、配送先の情報が必要となる。配送先の情報としては、少なくとも、購入者の名前（所有者名）と住所である。従って、販売店１側で、商品名、証明番号、および所有者名を登録することは可能である。
【００７７】
上述した実施の形態においては、証明番号の発行や、個人情報の入力は、販売店１で、商品を購入した時点で行われるとしたが、その他の実施の形態としては、販売店１以外のところで、証明番号の発行や個人情報の入力が行われる場合が考えられる。
【００７８】
例えば、証明番号は、商品の保証書番号を用いるようにしても良い。保証書番号とは、商品が故障した際に、所定の期間内であれば無料で修理するといったことを保証した紙に記載されている番号であり、場合によっては、製造番号などが、その保証書番号をかねている商品もある。そのような保証書番号を証明番号として用いた場合、図３に示したステップＳ２２の処理、すなわち、証明番号の発行処理を販売店１側で行う必要はなく、省略することが可能である。
【００７９】
このようにした場合には、ステップＳ２３において、ユーザ情報が入力される際、保証書番号が証明番号として入力される。このようにした場合においても、販売店１で商品が購入された時点で、ユーザ情報が入力されるので、商品の購入が行われた後の時点で、不正にその商品を取得した者が、オークションに出品しようとしても、上述した処理に従い、所有者名を入力しようとしても、正しい所有者名を入力することができず、結果としてオークションへの出品を許可されないことになる。
【００８０】
このように、保証書番号を証明番号として用いるようにした場合、ステップＳ２３におけるユーザ情報の入力の処理は、ユーザ登録の処理と兼ねることが可能である。ユーザ情報の入力の処理の際に入力される情報は、ユーザ登録時に入力される情報とほぼ一致しているため、ユーザに２度手間を取らせないといった観点からも、ステップＳ２３において行われるユーザ情報の入力の処理がユーザ登録と兼ねるようにすることが可能である。
【００８１】
また、オークションに出品する気がないユーザにとっては、ステップＳ２３の処理としてユーザ情報の入力が行われることは必要ない場合があり、ユーザ情報の入力に対して了解を得られないときが考えられるが、ユーザ登録を兼ねることにより、そのような場合でも、ユーザの了解を得られやすくなると考えられる。
【００８２】
ステップＳ２３において行われるユーザ情報の入力は、ユーザ側で行われるようにしても良い。ユーザは、商品を購入した時点で、必ずしもオークションに出品する意志があって、商品を購入するわけではないので、後日、オークションに出品することを所望した時点で、ユーザ情報の入力がユーザ側で行われるようにしても良い。
【００８３】
ユーザ側でユーザ情報の入力が行われるようにした場合、図３に示したフローチャートは、図１１に示したようなフローチャートになり、その図１１に示したフローチャートに従って、商品の購入に関わる処理が行われる。図１１に示したフローチャートを参照して、商品の購入に関わる処理について説明するに、ステップＳ１０１において、ユーザ４は、所望の商品の購入を販売店１において行う。
【００８４】
ステップＳ１０１において行われるユーザ４側の処理と、それに対応して販売店１側で行われるステップＳ１１１とステップＳ１１２の処理は、図３に示したステップＳ１１の処理と、それに対応して行われるステップＳ２１とステップＳ２２の処理と同様なので、その説明は省略する。
【００８５】
ユーザ４は、商品と証明番号を取得した後、オークションに参加することを所望した時点で、ステップＳ１０２において、ユーザ情報の入力を行う。ユーザ登録を行うことにより、オークションに関わる登録が行えるようになっている場合、ユーザ４は、ユーザ登録を行うために、ステップＳ１０２におけるユーザ情報の入力を行うようにしても良い。
【００８６】
ユーザ情報の入力は、ユーザ４がＰＣ５において行う。ユーザ４は、ステップＳ１０２においてユーザ情報（証明番号を含む個人情報）を入力し、ステップＳ１０３において、入力したユーザ情報をデータベース８に送信し、記憶させる。このようにして送信されたユーザ情報は、ステップＳ１２１において、データベース８に記憶される。
【００８７】
このように、データベース８にユーザ４自身によりユーザ情報が登録されることにより、ユーザ４は、オークションに参加するための登録を行うことができる。
【００８８】
このようにした場合、商品番号と共に、商品が盗まれたなどの場合には、オークションに盗用品が出品される可能性があるが、証明番号が発行される前に盗まれたような場合には、オークションに盗用品が出品される可能性を抑えることが可能となる。
【００８９】
このような処理が行われた結果、オークションに出品された商品の購入について説明する。図１２のフローチャートを参照して、図１に示した情報処理システムにおけるオークション上での商品の購入に関わる動作について説明する。図１２においては、商品を購入するユーザをユーザ４’として記述し、ユーザ４’が用いるコンピュータをＰＣ５’として記述する。
【００９０】
ユーザ４’は、ステップＳ１４１において、ＰＣ５’を、オークション運営サイト６のＰＣ７と接続させることにより、オークションのサイトにアクセスする。基本的に、ユーザ４’側で行われるステップＳ１４１の処理は、図５のステップＳ５１の処理と同様に行われる。また、オークション運営サイト６側で行われるステップＳ１５１の処理は、図５のステップＳ６１の処理と同様に行われる。
【００９１】
ユーザ４’のＰＣ５’がＰＣ７と接続されると、図６に示したようなオークションサイトのページを表示させるためのデータが、ステップＳ１５１において、ＰＣ７からＰＣ５’に出力され、ＰＣ５’上のディスプレイ５１’上に表示される。このうち、商品の購入を所望しているのであるから、“商品の購入”ボタン５２−２が操作される。
【００９２】
ユーザ４’が、“商品の購入”ボタン５２−２を操作すると、その情報は、ＰＣ７に送信され、その結果、ＰＣ７は、ステップＳ１５２において、出品されている商品のデータをＰＣ５’に送信する。そのようにして送信されたデータに基づき、ＰＣ５’は、処理を実行し、ディスプレイ５１’上に、例えば、図１３に示すように、出品されている商品の画像が表示される。このような画像内の商品が、順次切り換えられることにより、ユーザ４’は、表示されている商品内から、購入を所望する商品を選択し、例えば、その商品の画像に設けられている“購入”ボタン７１を操作する（ステップＳ１４２）。
【００９３】
ステップＳ１４２において、“購入”ボタン７１が操作されると、その情報は、ＰＣ７に対して送信される。ＰＣ７は、そのような情報を受信することにより、商品の購入を行うための画面のデータを送信する。そのようにして送信されたデータに基づく画像が、ＰＣ５’のディスプレイ５１’上に表示され、その画像に従ってユーザ４’が入力した情報が、ステップＳ１４３においてＰＣ７に対して送信される。
【００９４】
ステップＳ１４３において、入力され、送信される情報としては、名前、住所、電話番号などである。これらの情報は、商品の発送のために必要な情報である。また、オークションに参加するために、予め登録などの処理が必要であり、そのような登録が行われた結果、所定のＩＤなどが発行されるような場合、そのＩＤが入力されるようにしても良い。
【００９５】
このようなＩＤが発行される際には、名前や住所といった情報が、登録されることが条件となっており、そのために、ステップＳ１４３の処理として、ＩＤが入力されれば、オークション運営サイト６側では、そのＩＤに対応する名前や住所が判別できるようになっている。そのため、ステップＳ１４３において、ユーザ４’は、ＩＤだけを入力する仕組みにしても良いし、ＩＤと他の情報も合わせて入力するような仕組みにしても良い。
【００９６】
ステップＳ１４３において、ＰＣ５’から送信された情報を受信したオークション運営サイト６側のＰＣ７は、ステップＳ１５３において、受信した情報を、データベース８に対して送信する。この際、送信される情報は、購入された商品に関する情報、購入者の名前である。購入された商品に関する情報とは、例えば、その商品の証明番号である。
【００９７】
このように、オークション運営サイト６側のＰＣ７から送信された情報に基づき、データベース８は、ステップＳ１６１において情報の書き換えを行う。すなわち、データベース８には、商品名、証明番号、および所有者名が関連付けられて記憶されているが、この記憶されている情報のうち、商品がオークションにより購入されたことにより、所有者が変更されることになるため、記憶されていてる所有者名を変更する必要がある。
【００９８】
データベース８は、受信した情報のうち、商品に関する情報としての証明番号に基づき、書き換えるべき情報を限定し、その限定に基づき、その情報内の所有者名を、受信した情報に含まれる所有者名に書き換える。
【００９９】
このようにして、データベース８内の情報が更新される。ところで、オークションは、通常、１つの商品に複数の購入希望者が存在し、そのうち、高値の値段を付けた希望者に落札される（購入する権利が与えられる）ようになっている。そこで、オークション運営サイト６側から、ステップＳ１５３においてデータベース８に送信される情報は、落札した購入希望者の情報のみが送信される。
【０１００】
このように、データベース８の更新が行われる一方で、オークション運営サイト６のＰＣ７は、ＰＣ５’に対して、商品を落札したことを知らせる通知を行う。そのことにより、ユーザ４’側では、ステップＳ１４４において、商品の購入の処理が完了される。
【０１０１】
ここで、ユーザ４’が購入した商品が、ユーザ４が出品した商品であるとする。ユーザ４は、ユーザ４’から、商品の購入代金を受け取り、その後、商品をユーザ４’に対して配送する。ユーザ４は、ユーザ４’に商品を配送する際、その商品の証明番号も同時に配送する。このことにより、ユーザ４’が、証明番号を知ることができ、その後、オークションにその商品を出品することが可能な状態となる。
【０１０２】
このように、証明番号というものを用いることにより、オークションに出品される商品内に、盗難品など、不当に取得された商品が出品されるようなことを防ぐことが可能となる。このことにより、オークション運営サイト６が運営するサイトは、他のオークション運営サイトが運営するサイトよりも、安全性、信頼性といったものを向上させることが可能となる。
【０１０３】
なお、上述した実施の形態においては、証明番号というのを、インターネット上で行われるオークションに用いる例を挙げて説明したが、その他の用途に用いても良い。
【０１０４】
上述した一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１０５】
記録媒体は、図２に示すように、パーソナルコンピュータとは別に、ユーザにプログラムを提供するために配布される、プログラムが記録されている磁気ディスク３１（フレキシブルディスクを含む）、光ディスク３２（ＣＤ−ＲＯＭ（Ｃｏｍｐａｃｔ　Ｄｉｓｃ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｃ）を含む）、光磁気ディスク３３（ＭＤ（Ｍｉｎｉ−Ｄｉｓｃ）（登録商標）を含む）、若しくは半導体メモリ３４などよりなるパッケージメディアにより構成されるだけでなく、ＰＣ２に予め組み込まれた状態でユーザに提供される、プログラムが記憶されているＲＯＭ１２や記憶部１８が含まれるハードディスクなどで構成される。
【０１０６】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１０７】
また、本明細書において、システムとは、複数の装置により構成される装置全体を表すものである。
【０１０８】
【発明の効果】
以上の如く本発明を適用した情報処理システムによれば、盗難品など、不当に取得された商品や、不当に商品を取得した者からのオークションへの出品を防ぐことができ、オークションの安全性、信頼性を向上させることが可能となる。
【０１０９】
また、本発明の第１の情報処理装置および方法、並びにプログラムによれば、購入された商品であること、換言すれば、不当に売買された商品でないことを確認することができるため、例えば、オークションなどで、盗難品など、不当に取得された商品や、不当に商品を取得した者からのオークションへの出品を防ぐことができ、そのオークションの安全性、信頼性を向上させることが可能となる。
【０１１０】
本発明の第２の情報処理装置および方法、並びにプログラムによれば、購入された商品であること、換言すれば、不当に売買された商品でないことを確認することができるため、例えば、オークションなどで、盗難品など、不当に取得された商品や、不当に商品を取得した者からのオークションへの出品を防ぐことができ、そのオークションの安全性、信頼性を向上させることが可能となる。
【図面の簡単な説明】
【図１】本発明の情報処理システムの一実施の形態の構成を示す図である。
【図２】ＰＣ２の内部構成例を示す図である。
【図３】図１に示した情報処理システムの動作を説明するフローチャートである。
【図４】データベース８に記憶されるデータについて説明する図である。
【図５】図１に示した情報処理システムの動作を説明するフローチャートである。
【図６】ディスプレイ５１上に表示される画面の一例を示す図である。
【図７】ディスプレイ５１上に表示される画面の一例を示す図である。
【図８】ディスプレイ５１上に表示される画面の一例を示す図である。
【図９】ディスプレイ５１上に表示される画面の一例を示す図である。
【図１０】ディスプレイ５１上に表示される画面の一例を示す図である。
【図１１】図１に示した情報処理システムの動作を説明するフローチャートである。
【図１２】図１に示した情報処理システムの動作を説明するフローチャートである。
【図１３】ディスプレイ５１’上に表示される画面の一例を示す図である。
【符号の説明】
１　販売店，　２　ＰＣ，　３　ネットワーク，　４　ユーザ，　５　ＰＣ，６　オークション運営サイト，　７　ＰＣ，　８　データベース，　５１　ディスプレイ
【図１】
2004054730.tif 000003
【図２】
2004054730.tif 000004
【図３】
2004054730.tif 000005
【図４】
2004054730.tif 000006
【図５】
2004054730.tif 000007
【図６】
2004054730.tif 000008
【図７】
2004054730.tif 000009
【図８】
2004054730.tif 000010
【図９】
2004054730.tif 000011
【図１０】
2004054730.tif 000012
【図１１】
2004054730.tif 000013
【図１２】
2004054730.tif 000014
【図１３】
2004054730.tif 000015